(57)【要約】    【課題】      あらかじめ指定した特定の相手からの着信の際には、その相手の識別情報を表示しない設定の場合でも、事前に相手の識別情報を確認してから応答することができるようにすること。    【解決手段】  暗証番号記憶部１１１には、あらかじめ利用者により設定される表示条件としての暗証番号が記憶される。暗証番号判定部１１２は、暗証番号記憶部１１１にあらかじめ記憶されている暗証番号と、利用者により入力された暗証番号と、が一致しているか否かを判定する。あらかじめ記憶されている暗証番号と利用者により入力された暗証番号とが一致した場合に、表示制御部１０９により表示部１０８に着信相手の名前を表示するように制御する。  【選択図】      図１
2005348353.tif 000002
【特許請求の範囲】
【請求項１】
着信の際に着信相手を識別することができる識別情報を取得する識別情報取得手段と、
前記着信相手の登録名と前記識別情報とを関連付けて登録する登録手段と、
前記登録手段にあらかじめ登録しておいた相手から着信があった場合に前記着信相手の前記登録名を表示する表示手段と、
前記登録手段に登録してある前記識別情報のうち特定の相手からの着信の際には前記表示手段に前記登録名を表示しないように制御することができる表示制御手段と、
前記着信相手の前記登録名を表示する表示条件を記憶しておく表示条件記憶手段と、
前記特定の相手からの着信の場合に前記表示条件を満たすか否かを判定する表示条件判定手段と、を備え、
前記表示制御手段は、前記表示条件判定手段が前記表示条件を満たしていると判定した場合にのみ前記特定の相手の前記登録名を前記表示手段に表示するよう制御することを特徴とする表示制御装置。
【請求項２】
使用者の操作により前記表示条件を入力する表示条件入力手段を備え、
前記表示条件判定手段は、前記表示条件入力手段により入力された前記表示条件と、前記表示条件記憶手段にあらかじめ記憶されている前記表示条件とが一致した場合に、前記表示条件を満たしていると判定することを特徴とする請求項１記載の表示制御装置。
【請求項３】
前記表示条件は、暗証番号であることを特徴とする請求項１または請求項２記載の表示制御装置。
【請求項４】
着信時の現在時刻を取得する現在時刻取得手段を備え、
前記表示条件記憶手段に記憶される前記表示条件は、あらかじめ利用者が指定した時間帯であり、
前記表示条件判定手段は、前記現在時刻取得手段により取得した前記現在時刻と、前記条件記憶手段に記憶されている時間帯と、を比較し、前記現在時刻が前記時間帯の範囲内である場合に、前記表示条件を満たしていると判定することを特徴とする請求項１記載の表示制御装置。
【請求項５】
請求項１から請求項４のいずれかに記載の表示制御装置を備えていることを特徴とする携帯電話装置。
【発明の詳細な説明】
【技術分野】
【０００１】
本発明は、着信相手の電話番号を取得する機能が搭載された携帯電話装置や固定電話機などに装備するのに好適な表示制御装置に関する。
【背景技術】
【０００２】
現在、固定電話の付加サービスの一つとして、日本電信電話株式会社によって「ナンバー・ディスプレイ」機能が提供されている。これは、電話着信の際に、着信相手の電話番号を表示するという機能である。このナンバー・ディスプレイ機能は、ほぼ全ての機種の携帯電話装置に搭載されている。また、このナンバー・ディスプレイ機能を搭載した携帯電話装置としては、電話機本体に、発着信する相手の名前とその人の電話番号とを関連付けて複数件数記憶しておく電話帳機能を備える機種も数多く発売されている。
【０００３】
これらのナンバー・ディスプレイ機能および電話帳機能を搭載した携帯電話装置においては、電話を着信した際に、着信相手の電話番号を認識し、その電話番号が電話帳に記憶されている番号の場合は、その相手の名前と電話番号とをディスプレイに表示することができる。
【０００４】
従って、これらの機能を搭載した携帯電話装置は、着信時に電話に出る前に誰からの電話なのかを知ることができ、安心して電話に出ることができる。こうしたことから、これらのナンバー・ディスプレイ機能および電話帳機能は、迷惑電話の防止等に非常に便利な機能として広く使用されている。
【０００５】
しかしながら、これらの機能を搭載している携帯電話装置は、着信相手の名前や電話番号がディスプレイに表示されるため、誰からの着信であるかを第三者に知られてしまう可能性があり、プライバシー保護の観点から、何らかの対策が必要とされていた。
【０００６】
そこで、従来、特定の相手からの着信の際には、名前を表示しないように表示部を制御する制御部を備えた電話機が提案されている（例えば、特許文献１参照）。
【０００７】
図５は、特許文献１記載の電話機における表示制御方法を説明するためのフロー図である。図５において、電話機に着信が発生すると（ステップＳＴ５００）、発信者が電話番号を通知してきているか否かの判定を行う（ステップＳＴ５０１）。
【０００８】
番号通知をしていない場合は（ステップＳＴ５０１：Ｎｏ）、着信通知を開始し（ステップＳＴ５０６）、応答したか否かの判定を行い（ステップＳＴ５０７）、応答した場合は（ステップＳＴ５０７：Ｙｅｓ）、処理を終了する（ステップＳＴ５０８）。ここで、応答しない場合は（ステップＳＴ５０７：Ｎｏ）、ステップＳＴ５０６に戻り、応答をするまで着信通知を続ける。
【０００９】
一方、発信者が番号を通知している場合は（ステップＳＴ５０１：Ｙｅｓ）、その番号を表示部に表示し（ステップＳＴ５０２）、その番号が既に電話帳に登録済みの番号か否かを判定する（ステップＳＴ５０３）。ここで、電話帳に登録済みではない場合は（ステップＳＴ５０３：Ｎｏ）、ステップＳＴ５０６へと進み、以降の動作は前述の場合と同様となる。
【００１０】
電話帳に登録済みの場合は（ステップＳＴ５０３：Ｙｅｓ）、あらかじめ指定の番号であるか否かの判定を行う（ステップＳＴ５０４）。ここで、指定の番号ではない場合は（ステップＳＴ５０４：Ｎｏ）、電話帳においてその番号と関連付けられている名前を表示部に表示し（ステップＳＴ５０５）、ステップＳＴ５０６へと進み、以降の動作は前述の場合と同様となる。また、指定の番号である場合は（ステップＳＴ５０４：Ｙｅｓ）、名前表示を行わずにステップＳＴ５０６へと進み、以降の動作は前述の場合と同様となる。
【特許文献１】特開平１０−２７６２５９号公報
【発明の開示】
【発明が解決しようとする課題】
【００１１】
しかしながら、前記従来の固定電話機および携帯電話装置等の通信端末装置における表示制御方法では、あらかじめ指定してある相手からの着信の際には、必ず相手の名前を表示しないように制御する。このため、このような表示制御方法では、電話を受ける前に誰からの電話なのかを知ることができるという本来便利であるはずの機能を活用できなくなってしまうという事態に至っている。
【００１２】
すなわち、この種の通信端末装置における表示制御方法では、あらかじめ指定した相手からの着信の際には、その相手の名前を他人に知られないように表示しないで、電話帳に登録していない見知らぬ相手からの電話を着信した場合と同じように表示してしまう。
【００１３】
このため、このような通信端末装置では、あらかじめ指定した相手からの着信であっても安心して電話に出ることができない。ここで、指定した相手からの着信の場合に名前を表示するようにするためには、あらかじめその設定を解除しておかなくてはならないが、この通信端末装置では、この設定を解除してしまうとプライバシーが保護されなくなってしまう。
【００１４】
本発明は、かかる点に鑑みてなされたもので、あらかじめ指定した特定の相手からの着信の際には、その相手の識別情報を表示しない設定の場合でも、事前に相手の識別情報を確認してから応答することができるようにした通信端末装置の表示制御装置を提供することを目的とする。
【課題を解決するための手段】
【００１５】
かかる課題を解決するため、本発明に係る表示制御装置は、着信の際に着信相手を識別することができる識別情報を取得する識別情報取得手段と、前記着信相手の登録名と前記識別情報とを関連付けて登録する登録手段と、前記登録手段にあらかじめ登録しておいた相手から着信があった場合に前記着信相手の前記登録名を表示する表示手段と、前記登録手段に登録してある前記識別情報のうち、特定の相手からの着信の際には前記表示手段に前記登録名を表示しないように制御することができる表示制御手段と、前記着信相手の前記登録名を表示する表示条件を記憶しておく表示条件記憶手段と、前記特定の相手からの着信の場合に前記表示条件を満たすか否かを判定する表示条件判定手段と、を備え、前記表示制御手段は、前記表示条件判定手段が前記表示条件を満たしていると判定した場合にのみ前記特定の相手の前記登録名を前記表示手段に表示するよう制御する構成を採る。
【００１６】
この構成によれば、あらかじめ指定された特定の相手からの着信の際には、着信相手の登録名を表示させないような設定である場合であっても、前記特定の相手からの着信があった際に、前記表示条件が満たされることにより、前記特定の相手の登録名を表示させることができる。したがって、この構成によれば、あらかじめ指定した特定の相手からの着信の際には、事前に誰からの着信なのかを登録名を確認することにより知ることができ、安心して電話に応答することができる。
【発明の効果】
【００１７】
本発明によれば、あらかじめ指定した特定の相手からの着信の際には、その相手の登録名を表示しない設定となっている場合でも、ある条件を満たせば前記登録名を表示させることができるので、事前に相手の登録名を確認してから安心して応答することができる。
【発明を実施するための最良の形態】
【００１８】
以下、本発明の実施の形態に係る表示制御装置ついて、図面を参照して詳細に説明する。なお、各図において同一の構成または機能を有する構成要素及び相当部分には、同一の符号を付してその説明は繰り返さない。また、ここでは、本実施の形態に係る表示制御装置が装備される通信端末装置として携帯電話装置を例にとって説明するが、この表示制御装置は固定電話機に装備してもよいことはいうまでもない。
【００１９】
（実施の形態１）
図１は、本発明の実施の形態１に係る表示制御装置を装備した携帯電話装置の構成を示すブロック図である。図１に示すように、携帯電話装置１００は、アンテナ１０１、無線部１０２、変復調部１０３、制御部１０４、操作部１０５、着信通知部１０６、電話帳部１０７、表示部１０８、表示制御部１０９および表示制御装置１１０を備えている。
【００２０】
図１において、無線部１０２は、アンテナ１０１が受信した受信信号を変復調部１０３に送る。また、無線部１０２は、変復調部１０３から受け取った送信信号をアンテナ１０１へ送る。変復調部１０３は、無線部１０２から受け取った受信信号を復調し、また無線部１０２へ送る送信信号を変調する。
【００２１】
制御部１０４は、携帯電話装置１００の全体的な制御を行う。操作部１０５は、利用者が操作するテンキーなどの操作ボタンを備えており、キー操作により電話番号やメールアドレス等の通信相手の識別情報および名前（登録名）などの各種情報の入力や取り出し等を行う。
【００２２】
着信通知部１０６は、着信があった際に利用者へ着信通知する。電話帳部１０７は、操作部１０５のキー操作によりあらかじめ登録された複数件の名前と電話番号とを関連付けて記憶する。表示部１０８は、液晶パネルなどからなり、文字情報および画像情報等の各種情報を表示する。表示制御部１０９は、表示部１０８を制御する。
【００２３】
本実施の形態１に係る表示制御装置１１０は、暗証番号記憶部１１１と暗証番号判定部１１２とを備えている。暗証番号記憶部１１１には、特定の相手からの着信の際に表示部１０８に前記登録名を表示する表示条件としての暗証番号が記憶されている。この暗証番号は、あらかじめ利用者により設定される。暗証番号判定部１１２は、暗証番号記憶部１１１にあらかじめ記憶されている暗証番号と、利用者により入力された暗証番号と、が一致しているか否かを判定する。
【００２４】
そして、暗証番号判定部１１２は、暗証番号記憶部１１１にあらかじめ記憶されている暗証番号と利用者により入力された暗証番号とが一致した場合に、暗証番号一致信号を出力して表示制御部１０９を操作する。
【００２５】
本実施の形態１に係る表示制御装置１１０は、前記暗証番号一致信号による表示制御部１０９の操作により、表示部１０８に着信相手の名前を表示するように、表示制御部１０９を制御できるようになっている。
【００２６】
次に、図２を参照して本実施の形態１に係る表示制御装置１１０を装備した携帯電話装置１００の動作について説明する。図２は、本実施の形態１に係る表示制御装置を装備した携帯電話装置の動作を説明するためのフロー図である。
【００２７】
図２において、携帯電話装置１００に着信が発生すると（ステップＳＴ２００）、発信者が電話番号を通知してきているか否かの判定を行う（ステップＳＴ２０１）。ここで、発信者が番号通知をしていない場合は（ステップＳＴ２０１：Ｎｏ）、着信通知を開始し（ステップＳＴ２０６）、応答したか否かの判定を行う（ステップＳＴ２０７）。そして、応答した場合は（ステップＳＴ２０７：Ｙｅｓ）、処理を終了する（ステップＳＴ２０８）。応答しない場合は（ステップＳＴ２０７：Ｎｏ）、ステップＳＴ２０６に戻り、応答をするまで着信通知を続ける。
【００２８】
一方、発信者が番号を通知している場合は（ステップＳＴ２０１：Ｙｅｓ）、発信者の通知番号を表示部に表示し（ステップＳＴ２０２）、発信者の通知番号が既に電話帳部１０７にあらかじめ記憶されている登録済みの番号か否かを判定する（ステップＳＴ２０３）。ここで、発信者の通知番号が電話帳部１０７に登録済みではない番号の場合は（ステップＳＴ２０３：Ｎｏ）、ステップＳＴ２０６へと進み、以降の動作は前述の場合と同様となる。
【００２９】
発信者の通知番号が電話帳部１０７に登録済みの場合は（ステップＳＴ２０３：Ｙｅｓ）、あらかじめ指定された特定の相手からの指定の番号であるか否かの判定を行う（ステップＳＴ２０４）。ここで、発信者の通知番号が指定の番号ではない場合は（ステップＳＴ２０４：Ｎｏ）、電話帳部１０７においてその番号と関連付けられている名前を表示部に表示し（ステップＳＴ２０５）、ステップＳＴ２０６へと進み、以降の動作は前述の場合と同様となる。
【００３０】
一方、発信者の通知番号があらかじめ指定された特定の相手からの指定の番号である場合は（ステップＳＴ２０４：Ｙｅｓ）、まず着信通知を行い（ステップＳＴ２０９）、次に暗証番号の入力を行ったか否かの判定を行う（ステップＳＴ２１０）。ここで、暗証番号の入力をしていないと判断した場合は（ステップＳＴ２１０：Ｎｏ）、応答したか否かの判定を行い（ステップＳＴ２１２）、応答した場合は（ステップＳＴ２１２：Ｙｅｓ）処理を終了する（ステップＳＴ２０８）。応答しない場合は（ステップＳＴ２１２：Ｎｏ）ステップＳＴ２０９に戻る。
【００３１】
暗証番号の入力があった場合は（ステップＳＴ２１０：Ｙｅｓ）、暗証番号判定部１１２において、入力された暗証番号が暗証番号記憶部１１１にあらかじめ登録済みの暗証番号と一致するか否かの判定を行い（ステップＳＴ２１１）、一致しなかった場合は（ステップＳＴ２１１：Ｎｏ）、ステップＳＴ２１２に進み、以降の動作は前述と同様となる。
【００３２】
また、暗証番号判定部１１２による判定の結果、入力された暗証番号が暗証番号記憶部１１１にあらかじめ登録済みの暗証番号と一致した場合は（ステップＳＴ２１１：Ｙｅｓ）、ステップＳＴ２０５に進み発信者の名前を表示し、以降の動作は前述と同様となる。
【００３３】
このように、本実施の形態１に係る表示制御装置１１０を装備した携帯電話装置１００によれば、特定の相手からの着信の際には、事前にその相手の名前を表示部１０８に表示しないように設定してある場合であっても、その相手からの着信中に正しい暗証番号を入力することにより、相手の名前を表示部１０８に表示させることができる。
【００３４】
従って、この表示制御装置１１０を装備した携帯電話装置１００においては、電話に応答する前に誰からの着信なのかが分かるので、安心して電話に応答することができる。
【００３５】
なお、ここでは、着信相手の名前を表示する場合の認証方法として、正しい暗証番号が入力されたか否かを判定する方式を例にとって説明したが、この認証方法としては、例えば指紋認証等の暗証番号入力以外の方法でもよい。
【００３６】
また、ここでは、特定の番号からの着信の際には電話番号のみ表示して名前を表示しないとし、正しい暗証番号を入力した際に名前を表示するとしたが、この限りではなく、特定の番号からの着信の際には電話番号及び名前を表示せず、正しい暗証番号を入力した際に電話番号もしくは名前、またはその両方、さらには相手のその他の情報を表示するとしてもよい。また、特定の相手だけではなく、全ての相手の名前を表示しないといった場合にも適用可能なのは言うまでもない。
【００３７】
（実施の形態２）
次に、本発明の実施の形態２に係る表示制御装置について、図３を参照して説明する。図３は、本実施の形態２に係る表示制御装置を装備した携帯電話装置の構成を示すブロック図である。なお、図３において、図１に示した携帯電話装置１００の構成と同一の構成要素には、同一の符号を付してその説明を省略する。
【００３８】
図３に示す携帯電話装置３００は、本実施の形態２に係る表示制御装置３１０を装備している。この表示制御装置３１０は、図１に示した携帯電話装置１００の表示制御装置１１０における暗証番号記憶部１１１を時間記憶部３１１に代え、暗証番号判定部１１２を時間比較部３１２に代え、時計部３１３を追加した構成を有している。
【００３９】
図３において、時間記憶部３１１は、あらかじめ利用者が操作部１０５によって指定した時間範囲（時間帯）を記憶する。時間比較部３１２は、携帯電話装置３００に着信があった時の時計部３１３から得た現在時刻と、あらかじめ利用者が指定した時間記憶部３１１に記憶されている時間帯とを比較する。
【００４０】
そして、時間比較部３１２は、携帯電話装置３００に着信があった時の時計部３１３から得た現在時刻と、あらかじめ利用者が指定した時間記憶部３１１に記憶されている時間帯とが一致する場合には、時間一致信号を出力して表示制御部１０９を操作する。
【００４１】
本実施の形態２に係る表示制御装置３１０は、前記時間一致信号による表示制御部１０９の操作により、表示部１０８に着信相手の名前を表示するように、表示制御部１０９を制御できるようになっている。
【００４２】
次に、図４を参照して本実施の形態２に係る表示制御装置３１０を装備した携帯電話装置３００の動作について説明する。図４は、本実施の形態２に係る表示制御装置を装備した携帯電話装置の動作を説明するためのフロー図である。なお、図４において、図２に示したフロー図の手順と同一の手順には同一の符号を付し、ここでは、図２に示したフロー図の手順と異なる手順についてのみ説明する。
【００４３】
図４において、携帯電話装置３００に着信した番号があらかじめ指定した番号であった場合は（ステップＳＴ２０４：Ｙｅｓ）、着信通知を行う（ＳＴ２０９）。また、この場合には、この着信時の現在時刻があらかじめ利用者が指定した時間記憶部３１１に記憶されている時間帯の範囲内であるか否かの判定を行う（ステップＳＴ４００）。
【００４４】
そして、着信時の現在時刻が指定した時間帯の範囲内ではなかった場合は（ステップＳＴ４００：Ｎｏ）、ステップＳＴ２１２に進み、以降の動作は前述のようになる。また、着信時の現在時刻が指定した時間帯の範囲内であった場合は（ステップＳＴ４００：Ｙｅｓ）、ステップＳＴ２０５に進んで表示部１０８に着信相手の名前を表示し、以降の動作は前述と同様となる。
【００４５】
ここで、着信開始時点では現在時刻が指定した時間帯の範囲内ではなく、着信最中に指定した時間帯の範囲内になった場合には、指定した時間帯の範囲内になった時点から表示部１０８に着信相手の名前の表示を行う。
【００４６】
このように、本実施の形態２に係る表示制御装置３１０を装備した携帯電話装置３００においては、あらかじめ指定したある時間帯に着信があった場合には、暗証番号の入力等の操作を行うことなく着信相手の名前を表示させることができる。従って、この表示制御装置３１０を装備した携帯電話装置３００においては、面倒な操作を行わずに相手の名前を確認してから安心して電話に応答することができる。
【００４７】
なお、ここでは、着信があらかじめ指定した時間帯の範囲内である場合に着信相手の名前を表示する動作について説明したが、着信相手の名前を表示する条件としては、時間帯だけではなく、前記時間帯に日付や曜日等を併せた条件としてもよい。
【００４８】
また、以上の説明では、携帯電話装置１００，３００における電話着信を例にとって説明をしたが、この限りではなく、固定電話機や通信機能を備えたパソコンおよびＰＤＡ等でもよく、また電話以外のメール受信等の場合にも適用可能である。
【産業上の利用可能性】
【００４９】
本発明に係る表示制御装置は、あらかじめ指定した特定の相手からの着信の際には、その相手の名前を表示しない設定となっている場合でも、ある条件を満たせば表示させることができるので、事前に相手の名前を確認してから安心して電話に応答することができるので、着信相手の電話番号を取得する機能が搭載された携帯電話装置や固定電話機などの表示制御装置として有用である。
【図面の簡単な説明】
【００５０】
【図１】本発明の実施の形態１に係る表示制御装置を装備した携帯電話装置の構成を示すブロック図
【図２】本発明の実施の形態１に係る表示制御装置を装備した携帯電話装置の動作を説明するためのフロー図
【図３】本発明の実施の形態２に係る表示制御装置を装備した携帯電話装置の構成を示すブロック図
【図４】本発明の実施の形態２に係る表示制御装置を装備した携帯電話装置の動作を説明するためのフロー図
【図５】従来の電話機における表示制御方法を説明するためのフロー図
【符号の説明】
【００５１】
１００、３００  携帯電話装置
１０１  アンテナ
１０２  無線部
１０３  変復調部
１０４  制御部
１０５  操作部
１０６  着信通知部
１０７  電話帳部
１０８  表示部
１０９  表示制御部
１１０，３１０  表示制御装置
１１１  暗証番号記憶部
１１２  暗証番号判定部
３１１  時間記憶部
３１２  時間比較部
３１３  時計部
【図１】
2005348353.tif 000003
【図２】
2005348353.tif 000004
【図３】
2005348353.tif 000005
【図４】
2005348353.tif 000006
【図５】
2005348353.tif 000007